(57)【要約】本発明は、カスタマイズされたイメージプロダクトをユーザに供給するソフトウェアプロダクト及び方法に関する。本方法は、コンピュータに、テンプレートからカスタマイズされたイメージプロダクトを作成するために使用される予め定義された一連のステップを実行させるソフトウェアプログラムを有するコンピュータ読取り可能な媒体を供給するステップを含む。コンピュータ読取り可能な媒体は、デジタル画像コンテンツ、カスタマイズされたイメージプロダクトの費用に対するクレジット、及び固有の識別子を更に含み、コンピュータ読取り可能な媒体をコンピュータにロードして、これによりソフトウェアの作動を生じさせ、ソフトウェアがデジタル画像コンテンツの使用を自動的に可能とし、ユーザがカスタマイズされたイメージプロダクトを構成し、ユーザがカスタマイズされたイメージプロダクトを注文し、固有の識別子は、クレジット及びテンプレートを識別するために使用される。
2007511007.tif 000002
【特許請求の範囲】
【請求項１】
カスタマイズされたイメージプロダクトをユーザに供給する方法であって、
コンピュータ読取り可能な媒体がコンピュータに配置されたときにソフトウェアがユーザコンピュータにテンプレートから前記カスタマイズされたイメージプロダクトを作成するために使用される予め定義された一連のステップを実行させるように、ソフトウェアプログラムを有するコンピュータ読取り可能な媒体を取得するステップと、前記コンピュータ読取り可能な媒体は、デジタル画像コンテンツへのアクセス、カスタマイズされたイメージプロダクトの費用に対するクレジット及び固有の識別子を提供し、
前記ユーザコンピュータに前記コンピュータ読取り可能な媒体をロードして、デジタル画像コンテンツの使用を自動的に可能にする前記ソフトウェアのアクチベーションを生じさせるステップと、
前記カスタマイズされたイメージプロダクトをユーザが構成するステップと、
前記カスタマイズされたイメージプロダクトをユーザが注文するステップとを含み、
前記固有の識別子は、前記クレジット及び前記テンプレートを識別するために使用される、
ことを特徴とする方法。
【請求項２】
前記コンピュータ読取り可能な媒体は、コンパクトディスク、コンピュータフロプティカル（その現在の形式では非常に高価であるが、コンパクトフラッシュ（登録商標）がコンパクトディスクよりも大きな容量である１ギガバイトになることを考慮して、取り外し可能な磁気）ディスクのうちの１つを含む、
請求項１記載の方法。
【請求項３】
前記カスタマイズされたイメージプロダクトは、書籍、はがき、挨拶状のうちの１つを含む、
請求項１記載の方法。
【請求項４】
クレジットは、前記カスタマイズされたイメージプロダクトのフルコストを含む、
請求項１記載の方法。
【請求項５】
前記テンプレートは、前記コンピュータ読取り可能な媒体で提供される、
請求項１記載の方法。
【請求項６】
ソフトウェアプログラムは、前記注文を行うために通信ネットワークを通して実行プロバイダとの通信を提供する、
請求項１記載の方法。
【請求項７】
前記固有の識別子は、前記実行プロバイダから前記デジタル画像コンテンツを取得するために使用される、
請求項６記載の方法。
【請求項８】
前記デジタル画像コンテンツは、コンピュータ読取り可能な媒体で供給される、
請求項１記載の方法。
【請求項９】
前記デジタル画像コンテンツは、前記デジタル画像コンテンツを作成するようにフィルムに捕捉され、スキャンされた画像に関して取得される、
請求項１記載の方法。
【請求項１０】
前記固有の識別子は、前記実行プロバイダから前記テンプレートを取得するために使用される、
請求項６記載の方法。
【請求項１１】
コンピュータ読取り可能な媒体がユーザコンピュータに配置されたとき、ソフトウェアが前記ユーザコンピュータにテンプレートからカスタマイズされたイメージプロダクトを作成するために使用される予め定義された一連のステップを実行させるように、ソフトウェアプログラムを有するコンピュータ読取り可能な媒体であって、
前記コンピュータ読取り可能な媒体は、デジタル画像コンテンツ、前記カスタマイズされたイメージプロダクトの費用に対するクレジット、及び固有の識別子を更に含んでおり、
前記ソフトウェアは、アクチベーションに応答して前記デジタル画像コンテンツの使用を自動的に可能にし、前記カスタマイズされたイメージプロダクトを注文するのを可能にし、前記ソフトウェアは、通信ネットワークを通して前記注文を可能にするための情報を有する、
ことを特徴とするコンピュータ読取り可能な媒体。
【請求項１２】
前記コンピュータ読取り可能な媒体は、コンパクトディスク、コンピュータフロプティカルディスクのうちの１つを含む、
請求項１１記載の方法。
【請求項１３】
前記カスタマイズされたイメージプロダクトは、書籍、はがき、挨拶状のうちの１つを含む、
請求項１１記載の方法。
【請求項１４】
クレジットは、前記カスタマイズされたイメージプロダクトのフルコストを含む、
請求項１１記載の方法。
【請求項１５】
前記テンプレートは、前記コンピュータ読取り可能な媒体で提供される、
請求項１１記載の方法。
【請求項１６】
ソフトウェアプログラムは、前記注文を行うために通信ネットワークを通した実行プロバイダとの通信を提供する、
請求項１１記載の方法。
【請求項１７】
前記固有の識別子は、前記実行プロバイダから前記デジタル画像コンテンツを取得するために使用される、
請求項１６記載の方法。
【請求項１８】
前記デジタル画像コンテンツは、コンピュータ読取り可能な媒体で提供される、
請求項１１記載の方法。
【請求項１９】
前記デジタル画像コンテンツは、前記デジタル画像コンテンツを作成するように、フィルムで捕捉され、スキャンされた画像に関して取得される、
請求項１１記載の方法。
【請求項２０】
前記固有の識別子は、前記実行プロバイダから前記テンプレートを取得するために使用される、
請求項１６記載の方法。
【請求項２１】
カスタマイズされたイメージプロダクトを提供する方法であって、
コンピュータ読取り可能な媒体がユーザコンピュータに配置されたときにソフトウェアが前記ユーザコンピュータにテンプレートから前記カスタマイズされたイメージプロダクトを作成するために使用される予め定義された一連のステップを実行させるように、ソフトウェアプログラムを有するコンピュータ読取り可能な媒体を取得するステップと、前記コンピュータ読取り可能な媒体は、デジタル画像コンテンツ、前記カスタマイズされたイメージプロダクトの費用に対するクレジット及び固有の識別子を更に含み、前記ソフトウェアは、前記カスタマイズされたイメージプロダクトを構成するために使用される他のソースから更なるデジタル画像をユーザが取得するのを可能にし、
前記ユーザコンピュータに前記コンピュータ読取り可能な媒体をロードし、デジタル画像コンテンツ及び更なるデジタル画像の使用を自動的に可能にする前記ソフトウェアのアクチベーションを生じさせるステップと、
前記カスタマイズされたイメージプロダクトをユーザが構成するステップと、
前記カスタマイズされたイメージプロダクトをユーザが注文するステップとを含み、
前記固有の識別子は、前記クレジット及び前記テンプレートを識別するために使用される、
ことを特徴とする方法。
【請求項２２】
前記コンピュータ読取り可能な媒体は、コンパクトディスク、コンピュータフロプティカルディスクのうちの１つを含む、
請求項２１記載の方法。
【請求項２３】
前記カスタマイズされたイメージプロダクトは、書籍、はがき、挨拶状のうちの１つを含む、
請求項２１記載の方法。
【請求項２４】
クレジットは、前記カスタマイズされたイメージプロダクトのフルコストを含む、
請求項２１記載の方法。
【請求項２５】
前記テンプレートは、前記コンピュータ読取り可能な媒体に供給される、
請求項２１記載の方法。
【請求項２６】
ソフトウェアプログラムは、前記注文を行うために通信ネットワークを通して実行プロバイダとの通信を提供する、
請求項２１記載の方法。
【請求項２７】
前記固有の識別子は、前記実行プロバイダから前記デジタル画像コンテンツを取得するために使用される、
請求項２６記載の方法。
【請求項２８】
前記デジタル画像コンテンツは、コンピュータ読取り可能な媒体に供給される、
請求項２１記載の方法。
【請求項２９】
前記デジタル画像コンテンツは、前記デジタル画像コンテンツを作成するため、フィルムで捕捉されスキャンされた画像に関して取得される、
請求項２１記載の方法。
【請求項３０】
前記固有な識別子は、前記実行サーバから前記テンプレートを取得するために使用される、
請求項２６記載の方法。
【請求項３１】
カスタマイズされたイメージプロダクトをユーザに提供する方法であって、
前記ユーザにより複数の画像を実行プロバイダに提供するステップと、
コンピュータ読取り可能な媒体がユーザコンピュータに配置されたときにソフトウェアが前記ユーザコンピュータにテンプレートから前記カスタマイズされたイメージプロダクトを作成するために使用される予め定義された一連のステップを実行させるように、ソフトウェアプログラムを有するコンピュータ読取り可能な媒体を実行プロバイダが提供するステップと、前記コンピュータ読取り可能な媒体は、前記実行プロバイダに供給される画像を含むデジタル画像コンテンツ、前記カスタマイズされたイメージプロダクトの費用に対するクレジット及び固有の識別子を更に含み、
前記ユーザコンピュータに前記コンピュータ読取り可能な媒体をロードして、デジタル画像コンテンツの使用を自動的に可能にする前記ソフトウェアのアクチベーションを生じさせるステップと、
前記カスタマイズされたイメージプロダクトをユーザが構成するステップと、
前記カスタマイズされたイメージプロダクトをユーザが注文するステップとを含み、
前記固有の識別子は、前記クレジット及び前記テンプレートを識別するために使用される、
ことを特徴とする方法。
【請求項３２】
前記実行プロバイダに供給される前記複数の画像は、フィルムプロダクトを含む、
請求項３１記載の方法。
【請求項３３】
前記フィルムプロダクトは、前記デジタル画像を取得するために現像及びスキャンされる必要がある現像されていないフィルムを含む、
請求項３２記載の方法。
【請求項３４】
前記カスタマイズされたイメージプロダクトが作成される特定のタイプのイメージプロダクトを識別するため、注文のフォームが使用される、
請求項３１記載の方法。
【請求項３５】
前記注文のフォームは、前記コンピュータ読取り可能な媒体に含まれるデジタル画像コンテンツを識別するために使用される、
請求項３１記載の方法。
【請求項３６】
前記識別されたデジタル画像コンテンツの少なくとも１つは、実施権の保護である、
請求項３５記載の方法。
【請求項３７】
前記複数の画像は、通信ネットワークを通して前記実行プロバイダに供給される、
請求項３１記載の方法。
【請求項３８】
カスタマイズされたイメージプロダクトをユーザに供給する方法であって、
前記ユーザにより複数の画像をコンピュータ読取り可能な媒体の注文ステーションに提供するステップと、
コンピュータ読取り可能な媒体がユーザコンピュータに配置されたときにソフトウェアが前記ユーザコンピュータにテンプレートから前記カスタマイズされたイメージプロダクトを作成するために使用される予め定義された一連のステップを実行させるように、ソフトウェアプログラムを有する前記コンピュータ読取り可能な媒体をコンピュータ読取り可能な媒体の注文ステーションが提供するステップと、前記コンピュータ読取り可能な媒体は、実行プロバイダに供給される画像を含むデジタル画像コンテンツ、前記カスタマイズされたイメージプロダクトの費用に対するクレジット及び固有の識別子を更に含み、
前記ユーザコンピュータにコンピュータ読取り可能な媒体をロードして、デジタル画像コンテンツの使用を自動的に可能にする前記ソフトウェアのアクチベーションを生じさせるステップと、
前記カスタマイズされたイメージプロダクトを前記ユーザが構成するステップと、
前記カスタマイズされたイメージプロダクトをユーザが注文するステップとを含み、
前記固有の識別子は、前記クレジット及び前記テンプレートを識別するために使用される、
ことを特徴とする方法。
【請求項３９】
前記ユーザにより供給される前記複数の画像は、携帯用のデジタルメモリ装置に供給される、
請求項３８記載の方法。
【請求項４０】
前記ユーザにより供給される前記複数の画像は、デジタル画像捕捉装置に供給される、
請求項３８記載の方法。
【請求項４１】
前記コンピュータ読取り可能な媒体は、コンパクトディスク、コンピュータフロプティカルディスクのうちの１つを有する、
請求項３８記載の方法。
【請求項４２】
前記カスタマイズされたイメージプロダクトは、書籍、はがき、挨拶状のうちの１つを含む、
請求項３８記載の方法。
【請求項４３】
クレジットは、前記カスタマイズされたイメージプロダクトのフルコストを含む、
請求項３８記載の方法。
【請求項４４】
前記テンプレートは、前記コンピュータ読取り可能な媒体に供給される、
請求項３８記載の方法。
【請求項４５】
ソフトウェアプログラムは、前記注文を行うために通信ネットワークを通して実行プロバイダとの通信を提供する、
請求項３８記載の方法。
【請求項４６】
前記デジタル画像コンテンツは、コンピュータ読取り可能な媒体で提供される、
請求項３８記載の方法。
【請求項４７】
前記デジタル画像コンテンツは、コンピュータ読取り可能な媒体に提供される、
請求項３８記載の方法。
【請求項４８】
前記デジタル画像コンテンツは、前記デジタル画像コンテンツを作成するように、フィルムで捕捉されスキャンされた画像に関して取得される、
請求項３８記載の方法。
【請求項４９】
前記固有な識別子は、前記実行プロバイダから前記テンプレートを取得するために使用される、
請求項４５記載の方法。
【発明の詳細な説明】
【技術分野】
【０００１】
本発明は、カスタマイズされたイメージプロダクトを構築及び注文で使用するための方法及びコンピュータメディアプロダクトに関する。
【背景技術】
【０００２】
今日、カスタマイズされたイメージプロダクトを作成するため、多くのソフトウェアパッケージが存在する。カスタマイズされたイメージプロダクトは、ユーザが多数の画像から選択をなすイメージプロダクトであり、イメージプロダクトの拡張部分としてテキストを含む。かかるソフトウェアは、コンパクトディスク（ＣＤ）のようなコンピュータ読取り可能な媒体で供給されるか、インターネットからダウンロードされる場合がある。これにより、ユーザは、フォトコラージュ、アルバム、カレンダー等のようなカスタムイメージプロダクトを作成することができる。しかし、ユーザは、それらのコンピュータにアプリケーションをインストールする必要があり、これは多くのステップを必要とし、ユーザのコンピュータ上のかなりのハードディスクスペースを消費する。かかるインスタレーションは、典型的に拡張された時間量を必要とし、インストールを終了するためにコンピュータをユーザが再始動するのを必要とすることがある。コンピュータがハードディスクドライブによる問題を有する場合、アプリケーションは、将来の日付で再インストールされる必要がある場合がある。かかるソフトウェアの例は、Ｌｕｍａｐｉｘ  ＩｎｃによりＦｏｔｏＦｕｓｉｏｎである。ＦｏｔｏＦｕｓｉｏｎにより、ユーザは、フォトコラージュを作成するのを可能にし、このソフトウェアは、ユーザのコンピュータでのインストールのためにＣＤの形式での料金のために提供される。ユーザが幾つかのフォトコラージュを作成する場合、余り頻繁に使用されないソフトウェアに購入のために高い費用を被る。ユーザは、ソフトウェアを使用するためのライセンスについて支払うが、カスタマイズされたイメージップロダクトの成果に向けて何ら支払わない。さらに、かかる例では、ユーザは、ソフトウェアとの協力で使用されるべき記憶されたデジタル画像の位置にソフトウェアを向ける必要がある。
【０００３】
Ｅａｓｔｍａｎ  Ｋｏｄａｋ  ＣｏからのピクチャＣＤプロダクトのようなコンピュータメディアプロダクトは、スライドショウとしてピクチャＣＤのユーザコンピュータへの配置に応じて自動的にアクチベートされるソフトウェア及びデジタル画像を含む。しかし、ピクチャＣＤプロダクトは、小さなインストールコンポーネントを含み、カスタマイズされたイメージプロダクトを作成するために使用されない。さらに、ピクチャＣＤは、カスタマイズされたイメージプロダクトを生成するためのテンプレートを識別するための固有の識別子を含んでおらず、実行プロバイダのからのカスタマイズされたイメージプロダクトの注文に対するクレジットを含まない。
【発明の開示】
【発明が解決しようとする課題】
【０００４】
過度のステップ及びユーザからの指示なしでカスタマイズされたイメージプロダクトの作成を簡単にすることが必要とされる。  
さらに、ユーザの参加の複雑さを低減することに加えて、カスタムイメージプロダクトの情緒的な利益を受けるためにユーザが財政的に動機付けされた状態を保持することが必要とされる。
【０００５】
また、アカウントを確立することなしに、又は予め既存のアカウントを使用することなしに、実行プロバイダからのカスタマイズされたイメージプロダクトを注文することが必要とされる。  
また、ユーザにより所有及び／又は制御される特定のソフトウェアを使用するため、ユーザが特定のコンピュータ又は他の装置に繋がれているのを要求しないことが必要とされる。
【課題を解決するための手段】
【０００６】
本発明の１態様によれば、ユーザにカスタマイズされたイメージプロダクトを供給する方法が提供される。本方法は、コンピュータ読取り可能な媒体がコンピュータに配置されたときにソフトウェアがコンピュータにテンプレートからカスタマイズされたイメージプロダクトを作成するために使用される予め定義された一連のステップを実行させるように、
ソフトウェアプログラムを有するコンピュータ読取り可能な媒体を取得するステップを含んでおり、このコンピュータ読取り可能な媒体は、デジタル画像コンテンツ、カスタマイズされたイメージプロダクトの費用に対するクレジット、及び固有の識別子を更に含む。また、本方法は、コンピュータにコンピュータ読取り可能な媒体をロードし、これによりソフトウェアのアクチベーションを生じさせるステップを含んでおり、このソフトウェアは、デジタル画像コンテンツの使用を自動的に可能にする。さらに、本方法は、カスタマイズされたイメージプロダクトをユーザが構成するステップ、及びカスタマイズされたイメージプロダクトをユーザが注文するステップを含んでおり、固有の識別子は、クレジット及びテンプレートを識別するために使用される。
【０００７】
本発明の別の態様によれば、コンピュータ読取り可能な媒体がユーザコンピュータに配置されたとき、ソフトウェアがユーザコンピュータにテンプレートからカスタマイズされたイメージプロダクトを作成するために使用される予め定義された一連のステップを実行させるようにソフトウェアプログラムを有するコンピュータ読取り可能な媒体が提供される。本コンピュータ読取り可能な媒体は、デジタル画像コンテンツ、カスタマイズされたイメージプロダクトの費用に対するクレジット、及び固有の識別子を更に含んでおり、ソフトウェアは、アクチベーションに応答してデジタル画像コンテンツの使用を自動的に可能にし、カスタマイズされたイメージプロダクトを注文するのを可能にする。ソフトウェアは、通信ネットワークを通しての注文を可能にするための情報を有する。
【０００８】
本発明の更に別の態様によれば、カスタマイズされたイメージプロダクトを提供するための方法が提供される。本方法は、コンピュータ読取り可能な媒体がコンピュータに配置されたときにソフトウェアがユーザコンピュータにテンプレートからカスタマイズされたイメージプロダクトを作成するために使用される予め定義された一連のステップを実行させるように、ソフトウェアプログラムを有するコンピュータ読取り可能な媒体を取得するステップを含んでおり、このコンピュータ読取り可能な媒体は、デジタル画像コンテンツ、カスタマイズされたイメージプロダクトの費用に対するクレジット、及び固有の識別子を更に含んでおり、ソフトウェアは、カスタマイズされたイメージプロダクトを構成するために使用される他のソースから更なるデジタル画像をユーザが取得するのを可能にする。また、本方法は、コンピュータにコンピュータ読取り可能な媒体をロードし、これによりソフトウェアのアクチベーションを生じさせるステップを含んでおり、このソフトウェアは、デジタル画像コンテンツ及び更なるデジタル画像の使用を自動的に可能にする。さらに、本方法は、カスタマイズされたイメージプロダクトをユーザが構成するステップ、及びカスタマイズされたイメージプロダクトをユーザが注文するステップを含んでおり、固有の識別子は、クレジット及びテンプレートを識別するために使用される。
【０００９】
本発明の別の態様によれば、カスタマイズされたイメージプロダクトをユーザに提供するための方法が提供される。本方法は、ユーザにより複数の画像を実行プロバイダに提供するステップと、コンピュータ読取り可能な媒体がユーザコンピュータに配置されたときにソフトウェアがユーザコンピュータにテンプレートからカスタマイズされたイメージプロダクトを作成するために使用される予め定義された一連のステップを実行させるように、ソフトウェアプログラムを有するコンピュータ読取り可能な媒体を実行プロバイダが提供するステップとを含んでおり、このコンピュータ読取り可能な媒体は、実行プロバイダに供給される画像を含むデジタル画像コンテンツ、カスタマイズされたイメージプロダクトの費用に対するクレジット、及び固有の識別子を更に含んでいる。また、本方法は、ユーザコンピュータにコンピュータ読取り可能な媒体をロードし、これによりソフトウェアのアクチベーションを生じさせるステップを含んでおり、このソフトウェアは、デジタル画像コンテンツの使用を自動的に可能にする。さらに、本方法は、カスタマイズされたイメージプロダクトをユーザが構成するステップ、及びカスタマイズされたイメージプロダクトをユーザが注文するステップを含んでおり、固有の識別子は、クレジット及びテンプレートを識別するために使用される。
【００１０】
本発明の別の態様によれば、ユーザにカスタマイズされたイメージプロダクトを提供する方法が提供される。本方法は、ユーザにより複数の画像をコンピュータ読取り可能な媒体の注文ステーションに提供するステップと、コンピュータ読取り可能な媒体がユーザコンピュータに配置されたときにソフトウェアがユーザコンピュータにテンプレートからカスタマイズされたイメージプロダクトを作成するために使用される予め定義された一連のステップを実行させるように、ソフトウェアプログラムを有するコンピュータ読取り可能な媒体を提供するコンピュータ読取り可能な媒体の注文ステーションを含んでおり、このコンピュータ読取り可能な媒体は、実行プロバイダに供給される画像を含むデジタル画像コンテンツ、カスタマイズされたイメージプロダクトの費用に対するクレジット、及び固有の識別子を更に含んでいる。また、本方法は、ユーザコンピュータにコンピュータ読取り可能な媒体をロードし、これによりソフトウェアのアクチベーションを生じさせるステップを含んでおり、このソフトウェアは、デジタル画像コンテンツの使用を自動的に可能にする。さらに、本方法は、カスタマイズされたイメージプロダクトをユーザが構成するステップ、及びカスタマイズされたイメージプロダクトをユーザが注文するステップを含んでおり、固有の識別子は、クレジット及びテンプレートを識別するために使用される。
【００１１】
本発明のこれらの態様、目的、特徴及び利点、並びに他の態様、目的、特徴及び利点は、好適な実施の形態及び特許請求の範囲から、添付図面を参照することで更に明確に理解されるであろう。以下に説明される本発明の好適な実施の形態の詳細な記載では、添付図面に対して参照が行われる。
【発明を実施するための最良の形態】
【００１２】
本発明によれば、小売のメディアパッケージ１２が示されており、ＣＤのようなコンピュータ読取り可能な媒体１０、意図されたカスタマイズされたイメージプロダクトのテンプレート（Ｋｅｅｐｓａｋｅ  Ｂｏｏｋ）を示すラベル１４、及び潜在的なユーザ又は購入者へのテーマ（Ｙｏｓｅｍｉｔｅ  Ｎａｔｉｏｎａｌ  Ｐａｒｋ）を含んでいる。コンピュータ読取り可能な媒体の更なる例は、各種の記憶キャパシティ又は固体の取り外し可能なメモリからなる取り外し可能な磁気ディスクを含んでいる。コンピュータ読取り可能な媒体１０は、テーマに関連するデジタル画像コンテンツを表すデータを含み、このテーマは、この例では、限定するものではないが、Ｙｏｓｅｍｉｔｅ  Ｎａｔｉｏｎａｌ  Ｐａｒｋである。デジタル画像コンテンツは、ストックフォトグラフィ、地図、航空機写真、クリップアート、関心のあるポイント、歴史的なニュース、デジタルビデオ、オーディオクリップ、及び、テーマに関連するカスタマイズされたイメージプロダクトを生成するのに役立つ他のデジタルファイルを含むことが理解される。コンピュータ読取り可能なメディア１０は、固有の識別子を表すデータ、及びアクチベートされたときにカスタマイズされたイメージプロダクトのために含まれるテンプレートに従ってカスタマイズされたイメージプロダクトを生成するためにデジタル画像コンテンツで動作する実行可能なソフトウェアを更に含んでいる。固有の識別子は、盗みを防止するために暗号化されるのが好ましいことが理解される。固有の識別子は、keepsake bookのようなカスタマイズされたイメージプロダクトを生成するため、実行可能なソフトウェアにより使用される特定のカスタマイズされたイメージプロダクトをエンコードする。また、固有の識別子は、カスタマイズされたイメージプロダクトの購入に対して、全部又は一部で使用可能なクレジットをエンコードする場合がある。
【００１３】
図２に戻り、初期スクリーン２０のスクリーンショットは、図１に記載されるコンピュータ読取り可能な媒体で提供されるソフトウェアのアクチベーションに応じてユーザに表示される。コンピュータ読取り可能な媒体１０をユーザコンピュータに挿入すると、コンピュータ読取り可能な媒体１０に提供されたソフトウェアプログラムがアクチベートされ、ユーザコンピュータに、ユーザに表示されているスクリーン２０となる予め定義された一連のステップを実行させる。この予め定義された一連のステップは、この技術がかなりのハードディスクスペースを必要とし、ユーザコンピュータのオペレーティングシステムにおける変化と互換性があるようにソフトウェアプログラムを定期的に更新するためにユーザに負担を負わせるので、ユーザコンピュータに何れのソフトウェアプログラムをインストールすることを含まない。ソフトウェアプログラムはコンピュータに永続的にインストールされないが、代わりにＣＤ及び／又はＲＡＭ（Ｒａｎｄｏｍ  Ａｃｃｅｓｓ  Ｍｅｍｏｒｙ）から実行されるので、長いインストールプロセスを行う必要がないか、又は特定のコンピュータに制限される。
【００１４】
コンピュータ読取り可能なメディアをユーザコンピュータに配置することを除いて何も行うことなしに、ユーザには、デリバリ情報を提供するため、従来のフィールド２３ａ，２３ｂ，２３ｃをもつアドレスブロック２２、注文の量を示す量ブロック２４、及び注文に配置させるボタン２６を含むスクリーンが提供されることを述べることは重要である。スクリーン２０は、アクチベートされたソフトウェアプログラムと対話するユーザにより生成されるべきカスタマイズされたイメージプロダクトのテンプレート３０、及びデジタル画像コンテンツ３８ａ〜３８ｇを更に含んでいる。一般にグループと呼ばれるデジタル画像コンテンツ３８ａ〜３８ｇは、デジタル画像コンテンツ３８により示される。デジタル画像コンテンツ３８ａ〜３８ｇは、この例ではデジタルスチル画像として示されているが、これは本発明を制限するものではない。更なるデジタル画像コンテンツ３８は、ユーザがコンテンツ制御エレメント３６ａ，３６ｂ及び３６ｃと対話するときに現れる場合があり、それらの機能は従来技術において一般に理解されている。
【００１５】
カスタマイズされたイメージプロダクトのデフォルトコンフィギュレーションは、最初に利用可能なデジタル画像コンテンツ３８であるので、デジタル画像コンテンツ３８ａを含む。ハイライトオンライン２８は、デジタル画像コンテンツ３８ａの周りを囲み、現在の選択であるステータスを示す。ユーザコンピュータを動作しているユーザは、マウスのような選択するための一般的なコンピュータ入力装置を使用して他のデジタル画像コンテンツ３８を選択することができる。任意に、ソフトウェアプログラムにより、ユーザは、携帯用のメモリ装置、オンラインの画像記憶サービス、又はユーザコンピュータ内の記憶位置から他のデジタル画像コンテンツ３８を取得することができる。ボタン３２及び３４により、この例では、コンピュータは、カードの表面及びカードの裏面をそれぞれ表示させる。これらボタン３２及び３４の機能性は、テンプレートのどのビューが実際にユーザに表示され、ユーザがテンプレート３０の別のビューを選択する助けとなることに依存して変化する。
【００１６】
デジタル画像コンテンツ３８ａのデフォルトセレクションを使用してカスタマイズされたイメージプロダクトの注文を配置するのをユーザが望む場合、ユーザは、図３ａのスクリーン４０ａにより示されるように（同じ番号は同じ部分及び動作を示している）、彼のアドレス情報をアドレスブロック２２に入力し、所望の量の入力を量のブロック２４に入力する。作成されるべきイメージプロダクトを更にカスタマイズするため、ユーザは、カードの内部にテンプレート３０を開くためにボタン３２をアクチベートし、図３ｂのスクリーン４０ｂに示されるようにテキストメッセージをメッセージブロック４２に追加する。
【００１７】
同様に、ユーザは、図３ｃのスクリーン４０ｃにより示されるバックページにテンプレートのビューを変えるためにボタン３４をアクチベートする。テンプレート３０のバックページは、選択されたピクチャの配置のための４つのデジタル画像コンテンツのロケーション４４，４５，４６及び４７を含んでいる。図３ｃ，図３ｄ，図３ｅ及び図３ｆのそれぞれ（同じ番号は同じ部分及び動作を示している）のスクリーン４０ｃ，４０ｄ，４０ｅ及び４０ｆのシーケンスは、デジタル画像コンテンツのロケーション４４，４５，４６及び４７への配置のためにデジタル画像コンテンツ３８を選択するプロセスを示している。図３ｆでは、ユーザは、デジタル画像コンテンツのロケーション４７における配置のために更なるデジタル画像コンテンツ３８ｇを現すため、コンテンツ制御エレメント３６ｂ及び／又は３６ｃを使用している。
【００１８】
ここで図３ｇに戻り、注文を行うためにユーザがボタン２６をアクチベートする結果としてのスクリーン４０ｇが示されている。アクチベートされたソフトウェアプログラムは、ｆｔｐ（Ｆｉｌｅ  Ｔｒａｎｓｆｅｒ  Ｐｒｏｔｏｃｏｌ）のようなプロトコル規格を使用してインターネットのようなネットワークを通して従来のやり方で実行プロバイダと通信するために前もって構成される通信プロトコルを含む。かかる通信の確立に応じて、実行プロバイダは、コンピュータ読取り可能な媒体からアクチベートされたソフトウェアプログラムにより供給される固有の識別子でデータベースをアクセスする。データベースアクセスの結果は、スクリーン４０ｇにクレジット情報ブロック５０を表示するユーザコンピュータとなる。ユーザは、ボタン５２をアクチベートすることでクレジット情報ブロック５０により供給された情報を許可し、注文プロセスにおける次のステップが図３ｈに進むのを可能にする。スクリーン４０ｈは、クレジットカード情報ブロック５４を含み、クレジットカード番号フィールド５６、及び注文の完了のためにアクチベートされるボタン５８を含んでいる。注文の完了は、テンプレート３０の固有のＩＤの送信、選択された画像（又は実行プロバイダに既にアクセス可能な画像の画像識別子）、テキストメッセージ、デリバリアドレス、及びクレジットカード情報を含んでいる。別のカスタマイズされたイメージプロダクトを生成するためのコンピュータ読取り可能な媒体１０の再使用は、暗号化された固有のＩＤと関連するクレジットが消費されていることを除いて同じプロセスである。したがって、ユーザにはスクリーン４０ｇが提供されない。
【００１９】
ここで図４に戻り、カスタマイズされたイメージプロダクトを作成する方法におけるステップを説明するフローチャートが示される。本方法は、ステップ６０ではじまり、ユーザは、ＣＤのようなコンピュータ読取り可能な媒体１０を取得し、この媒体のコンテンツは先に記載されている。ユーザは、各種のソースからかかるコンピュータ読取り可能な媒体１０を取得する場合があり、各種ソースの幾つかにより、ユーザは、彼自身のパーソナルデジタルイメージコンテンツ３８を含むことができる。この例は、図５Ａ〜図８に関して更に説明される。コンピュータ読取り可能な媒体１０のユーザは、ギフトとして第三者からそれを受信するか、ユーザは、彼自身の目的のためにコンピュータ読取り可能な媒体１０を取得する場合がある。いずれの場合であっても、ディスクがＣＤ引き抜き手段に挿入され、ソフトウェアは、ＡｕｔｏＰｌａｙとして知られる一般的な計算機能によりアクチベートされる（ステップ６２）。ソフトウェアプログラムにより、ユーザは、テンプレート３０に選択されたデジタル画像コンテンツ３８を追加することでカスタマイズされたイメージプロダクトを対話的に構成するのを可能にする。満足されたとき、ユーザは、実行サイトから通信ネットワークを通してカスタマイズされたイメージプロダクトを注文する（ステップ６６）。好ましくは、ソフトウェアプログラムは、ユーザにその努力の負担を負わせないように実行サイトを予め決定することができるか、又は選択がオプションとして提供される。さらに、ソフトウェアが特定のコンピュータ及び／又は他の装置にロードされないので、ユーザは、ユーザが便利に利用可能なコンピュータを使用する場合がある。したがって、ユーザは、コンピュータプログラムを実行し、通信機能を有する適切な装置で購入されたソフトウェアを使用する場合がある。
【００２０】
ステップ６０では、ユーザは、カスタマイズされたイメージプロダクトの構成及び作成を初期化するためのコンピュータ読取り可能な媒体１０を取得する。ここで説明される幾つかの方法があり、ユーザは、予め決定され、及び／又は選択可能なデジタル画像コンテンツ３８に加えて彼自身のパーソナルデジタル画像コンテンツ３８の両者を含むコンピュータ読取り可能な媒体１０を注文することができる。図５ａでは、たとえば、限定されるものではないが露光されたフィルム画像の形式で、ユーザにより供給されるデジタル画像コンテンツ３８に加えてストックデジタル画像コンテンツ３８を含むコンピュータ読取り可能な媒体１０を注文するための注文のフォーム７０が示されている。この特定の例では、注文フォーム７０は、作成されるべきカスタマイズされたイメージプロダクトがＫｅｅｐｓａｋｅ  Ｂｏｏｋであり、供給されるデジタル画像コンテンツが地図（ＭＡＰＳ）、航空機写真（ＡＥＲＩＡＬ  ＩＭＡＧＥＳ）、専門画像（ＰＲＯＦＥＳＳＩＯＮＡＬ  ＩＭＡＧＥＳ）、グラフィックス（ＧＲＡＰＨＩＣＳ）、クリップアート（ＣＬＩＰ  ＡＲＴ）及びＹｏｓｅｍｉｔｅ  Ｎａｔｉｏｎａｌ  Ｐａｒｋのライセンスアート（ＬＩＣＥＮＳＥＤ  ＡＲＴ）を含むことをユーザに通知する。注文のフォーム７０の命令７１は、フィルム処理のエンベロープ（図示せず）と注文フォームをどのように使用すべきかを説明する。同様のやり方で、図５ｂでは、同じ部分及び動作を示す同じ番号により別の注文のフォーム７２が示されている。この例では、注文フォーム７２により、ユーザは、どのデジタル画像コンテンツ３８が選択ボックス７４ａ〜７４ｆをチェックすることでコンピュータ読取り可能な媒体１０に供給されるかを選択することができる。デジタル画像コンテンツ３８の選択により、選択命令７３により示されるように、更なる料金がコンピュータ読取り可能な媒体１０の費用に加わる場合がある。
【００２１】
図６では、ユーザにより供給された露光されたフィルム画像及び注文フォーム７０によるコンピュータ読取り可能な媒体１０を作成するステップが詳細に説明される。はじめに、ユーザは、たとえば小売カウンタから注文フォーム７０を取得する必要がある（ステップ８０）。注文フォーム７２が取得された場合、ユーザは、更なるデジタル画像コンテンツ３８をコンピュータ読取り可能な媒体１０に追加すべきか否かを判定する。追加すべきと判定した場合、ユーザは、更なるデジタル画像コンテンツ３８を選択する（ステップ８２）。この時点で、ユーザは、注文フォーム７０又は注文フォーム７２を、１以上の、露光されているが現像されていないフィルムと共にフィルム処理エンベロープに挿入する。注文処理エンベロープは、フォト処理ステーション又はファシリティに伝達され（ステップ８６）、ここで、露光されたフィルムが処理され（ステップ８８）、このフォト処理ステーション又はファシリティから、デジタル画像は、処理されたフィルム画像を典型的にスキャンすることで、処理されたフィルム画像から作成される。デジタル画像コンテンツ３８、固有のＩＤ及びクレジットを含む全てのデータがコンピュータ読取り可能な媒体１０に連続して書き込まれた後、コンピュータ読取り可能な媒体１０は、ユーザに戻される（ステップ９０）。この媒体１０によりカスタマイズされたイメージプロダクトを作成するプロセスは、図４に例示されるポイントＡで再開する。
【００２２】
コンピュータメディア１０のためにデジタル画像コンテンツ３８をユーザがどのように提供することができるかに関する別の例は、図７に例示されるフローチャートのステップに記載されている。この例では、コンピュータ読取り可能な媒体の注文ステーション又はＫｉｏｓｋ（図示せず）は、先に記載されたようなメディア１０を生成するためのセッション（ステップ９２）を始動するユーザにより動作される。この例では、ユーザは、ステップ９３及び９４でオプションを有し、更なるデジタル画像コンテンツ３８をメディア１０に追加する。この判定及び動作の後、ユーザは、コンパクトフラッシュ（登録商標）カード、ＳＤカード、メモリスティック、デジタルスチルカメラ、又はユーザからデジタル画像コンテンツ３８を供給可能な複数の類似の装置のような携帯用のメモリ装置から、注文ステーションにデジタル画像コンテンツ３８を供給する（ステップ９６）。注文ステーションは、ユーザにより選択されたデジタル画像コンテンツ３８、選択されたテンプレート３０を符号化する固有のＩＤ、及びカスタマイズされたイメージプロダクトの実行に向けてメディア１０に加えられるクレジットと共に、ユーザにより供給されたデジタル画像コンテンツ３８を書き込む。このメディア１０によりカスタマイズされたイメージプロダクトを作成するプロセスは、図４に例示されるポイントＡで再開する。
【００２３】
コンピュータメディア１０のためにデジタル画像コンテンツ３８をユーザがどのように提供するかに関する別の例は、図８に例示されるフローチャートのステップで記載される。この例では、ユーザは、通信ネットワークを通して実行プロバイダによるセッションを始動する（ステップ１００）。ユーザは、次いで、所望のカスタマイズされたイメージプロダクトを選択し（ステップ１０２）、デジタル画像コンテンツ３８を実行プロバイダに供給する（ステップ１０４）。このデジタル画像コンテンツ３８は、実行プロバイダにアップロードされる必要があるか、既にアップロードされている場合がある。ステップ１０６及び１０７を使用して、コンピュータ読取り媒体１０に含まれる更なるデジタル画像コンテンツ３８を選択することができる。実行プロバイダは、デジタル画像コンテンツ３８、ソフトウェアプログラム、固有のＩＤ、及びカスタマイズされたプロダクトテンプレート３０をコンピュータ読取り可能な媒体１０に書き込む（ステップ１０８）。このメディア１０によるカスタマイズされたイメージプロダクトの作成のプロセスは、図４に例示されるポイントＡで再開する。
【００２４】
本発明は、その所定の好適な実施の形態を特に参照して詳細に記載されたが、変形及び変更は本発明の精神及び範囲で影響されることを理解されるであろう。
【図面の簡単な説明】
【００２５】
【図１】本発明に従ってなされるコンピュータ読取り可能な媒体の平面図である。
【図２】図１で記載されるコンピュータ読取り可能な媒体で提供されるソフトウェアのアクチベーションに応じてユーザに表示される初期スクリーンのスクリーンショットである。
【図３】図３ａ〜図３ｈは、本発明の１実施の形態に係るカスタムイメージプロダクトの構成に応じてユーザに表示される連続するスクリーンを例示する図である。
【図４】本発明に係るカスタマイズされたイメージプロダクトを構成するためのソフトウェアの使用におけるステップを例示するフローチャートである。
【図５】図５ａ〜図５ｂは、コンピュータ読取り可能な媒体を注文し、そこに含まれるべき更なるデジタル画像コンテンツを規定するオーダフォームである。
【図６】フィルム画像及びオーダフォームを含むコンピュータ読取り可能な媒体の注文におけるステップを例示するフローチャートである。
【図７】デジタル画像ソースから供給されるデジタル画像をもつコンピュータ読取り可能な媒体からコンピュータ読取り可能な媒体の注文におけるステップを例示するフローチャートである。
【図８】本発明に従ってなされるオンラインサービスプロバイダからコンピュータ読みより可能な媒体を注文するステップを例示するフローチャートである。
【符号の説明】
【００２６】
１０：コンピュータ読み取り可能なメディア
１２：小売のメディアパッケージ
１４：ラベル
２０：初期スクリーン
２２：アドレスブロック
２４：量のブロック
２６：ボタン
２８：ハイライトオンライン
３０：テンプレート
３２：ボタン
３４：ボタン
３６ａ〜３６ｃ：コンテンツ制御エレメント
３８：画像コンテンツ
３８ａ〜３８ｇ：デジタル画像コンテンツ
４０ａ〜４０ｈ：スクリーン
４２：メッセージブロック
４４：コンテンツロケーション
４５：コンテンツロケーション
４６：コンテンツロケーション
４７：コンテンツロケーション
５０：情報ブロック
５２：作動ボタン
５４：ブロック
５６：番号フィールド
５８：ボタン
６０：方法
６２：作動ステップ
６４：ステップ
６６：ステップ
７０：注文フォーム
７１：命令
７２：注文フォーム
７４ａ〜７４ｆ：選択ボックス
８０〜８２：ステップ
８４：ステップ
８６：ステップ
８８：ステップ
９０：ステップ
９２〜９４：ステップ
９６：ステップ
９８：ステップ
１００：ステップ
１０２：ステップ
１０４：ステップ
１０６：ステップ
１０７：ステップ
１０８：ステップ
【図１】
2007511007.tif 000003
【図２】
2007511007.tif 000004
【図３ａ】
2007511007.tif 000005
【図３ｂ】
2007511007.tif 000006
【図３ｃ】
2007511007.tif 000007
【図３ｄ】
2007511007.tif 000008
【図３ｅ】
2007511007.tif 000009
【図３ｆ】
2007511007.tif 000010
【図３ｇ】
2007511007.tif 000011
【図３ｈ】
2007511007.tif 000012
【図４】
2007511007.tif 000013
【図５ａ】
2007511007.tif 000014
【図５ｂ】
2007511007.tif 000015
【図６】
2007511007.tif 000016
【図７】
2007511007.tif 000017
【図８】
2007511007.tif 000018
【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
カスタマイズされたイメージプロダクトをユーザに供給する方法であって、
コンピュータ読取り可能な媒体がコンピュータに配置されたときにソフトウェアがユーザコンピュータにテンプレートから前記カスタマイズされたイメージプロダクトを作成するために使用される予め定義された一連のステップを実行させるように、ソフトウェアプログラムを有するコンピュータ読取り可能な媒体を取得するステップと、前記コンピュータ読取り可能な媒体は、デジタル画像コンテンツへのアクセス、カスタマイズされたイメージプロダクトの費用に対するクレジット及び固有の識別子を提供し、
前記ユーザコンピュータに前記コンピュータ読取り可能な媒体をロードして、デジタル画像コンテンツの使用を自動的に可能にする前記ソフトウェアのアクチベーションを生じさせるステップと、
前記カスタマイズされたイメージプロダクトをユーザが構成するステップと、
前記カスタマイズされたイメージプロダクトをユーザが注文するステップとを含み、
前記固有の識別子は、前記クレジット及び前記テンプレートを識別するために使用される、
ことを特徴とする方法。
【請求項２】
前記コンピュータ読取り可能な媒体は、コンパクトディスク、コンピュータフロプティカルディスクのうちの１つを含む、
請求項１記載の方法。
【請求項３】
前記カスタマイズされたイメージプロダクトは、書籍、はがき、挨拶状のうちの１つを含む、
請求項１記載の方法。
【請求項４】
クレジットは、前記カスタマイズされたイメージプロダクトのフルコストを含む、
請求項１記載の方法。
【請求項５】
前記テンプレートは、前記コンピュータ読取り可能な媒体で提供される、
請求項１記載の方法。
【請求項６】
ソフトウェアプログラムは、前記注文を行うために通信ネットワークを通して実行プロバイダとの通信を提供する、
請求項１記載の方法。
【請求項７】
前記固有の識別子は、前記実行プロバイダから前記デジタル画像コンテンツを取得するために使用される、
請求項６記載の方法。
【請求項８】
前記デジタル画像コンテンツは、コンピュータ読取り可能な媒体で供給される、
請求項１記載の方法。
【請求項９】
前記デジタル画像コンテンツは、前記デジタル画像コンテンツを作成するようにフィルムに捕捉され、スキャンされた画像に関して取得される、
請求項１記載の方法。
【請求項１０】
前記固有の識別子は、前記実行プロバイダから前記テンプレートを取得するために使用される、
請求項６記載の方法。
【国際調査報告】
2007511007.tif 000019